【手続補正書】
【提出日】平成16年8月18日(2004.8.18)
【手続補正１】
【補正対象書類名】明細書
【補正対象項目名】特許請求の範囲
【補正方法】変更
【補正の内容】
【特許請求の範囲】
【請求項１】  
ａ）視覚的検査を受ける少なくとも１個の電子部品を乗せる外縁で囲まれた回転する供給車と、
ｂ）該供給車の外側に設置され、該供給車に乗って移動する電子部品の第１面を見る第１の検査機と、
ｃ）上記供給車と同平面上に並列に連動された周縁のある運搬車であって、供給車の外縁から運搬車の周縁へと電子部品を移し替えるものと、
ｄ）上記運搬車の近傍に設置され、運搬車に乗って移動する電子部品の少なくも１つの外側面を見る第２の視覚的検査機と、
ｅ）上記第１視覚的検査機及び／又は第２視覚的検査機の検査を看過して通過してしまった電子部品の所在、及び／又は、上記第１視覚的検査機及び／又は第２視覚的検査機により検査を失敗した電子部品の所在を追跡するコンピュータプロセッサと、
ｆ）第１の位置で上記運搬車の周縁に捕獲され損なって視覚的検査を受けていない電子部品を一定の容器に吹き出す第１の送出装置と、
ｇ）上記第１の位置とは異なる第２の位置で上記運搬車の周縁に捕獲されて視覚的検査に合格した電子部品を別の容器に吹き出す第２の送出装置と
を有する受動部品の視覚的検査機。
【請求項２】  
上記供給車は水平面に対して傾斜され、かつ、
ａ）供給される電子部品の山を乗せる供給車の上面と、
ｂ）間隔をあけた一対の側壁を有する、供給中に電子部品が入り込む少なくとも１個の穴であって、上記供給車の上面の外縁に形成される角部を有するものと、
ｃ）該穴中に電子部品を検査のため保持する真空吸引力を供給する上記供給車に接続された真空装置と
を有する請求項１に記載の視覚的検査機。
【請求項３】  
ａ）供給される電子部品の山を乗せる供給車の上面と、
ｂ）該上面中に形成される少なくとも１個の細溝であって、上記外縁に向け外方に向けられ、かつ、角部が形成されたものと、
ｃ）上記外縁における細溝中に形成される少なくとも１個の穴であって、供給中にその中に電子部品が入り込む、間隔をあけた一対の側壁を有するものと、
ｄ）該穴は、電子部品の山中を通過するように配置され、該電子部品の山から少なくとも１個の電子部品を特定の運動向きで受け取るようにされ、
ｅ）該穴は、上記第１検査機による検査を受けた電子部品を穴から外方の上記外縁へ移動させる窓が貫通形成されている、
請求項１に記載の視覚的検査機。
【請求項４】  
上記角部が面取りを形成するように傾斜されている、請求項２に記載の視覚的検査機。
【請求項５】  
上記角部が面取りを形成するように傾斜されている、請求項３に記載の視覚的検査機。
【請求項６】
第１の静止真空板を上記供給車に隣接してその下面に供給車の外縁の下側に周縁がくるように配置し、それが電子部品が乗る上記穴の床となる第１の静止真空板を含む、請求項２に記載の視覚的検査機。
【請求項７】
第１の静止真空板を上記供給車に隣接してその下面に供給車の外縁の下側に周縁がくるように配置し、それが電子部品が乗る上記穴の床となる第１の静止真空板を含む、請求項３に記載の視覚的検査機。
【請求項８】
第２の静止真空板を上記運搬車に隣接してその下面に運搬車の周縁の下側に周縁がくるがそれより短くて真空吸引力が電子部品を該周縁上に保持するように配置した第２の静止真空板を含む、請求項１に記載の視覚的検査機。
【請求項９】
ａ）上記運搬車に隣接してその下面に運搬車の周縁の下側に周縁がくるがそれより短いようにした第２の静止真空板と、
ｂ）真空吸引力が電子部品を上記周縁上に保持するようにされた第２の真空装置とを含む、請求項２に記載の視覚的検査機。
【請求項１０】  
ａ）上記運搬車に隣接してその下面に運搬車の周縁の下側に周縁がくるがそれより短いようにした第２の静止真空板と、
ｂ）  真空吸引力が電子部品を上記周縁上に保持するようにされた第２の真空装置とを含む、請求項３に記載の視覚的検査機。
【請求項１１】
電子部品を保持するため穴中に終端がくるように上記供給車中に形成される少なくとも１本の細通孔を含む、請求項６に記載の視覚的検査機。
【請求項１２】
電子部品を保持するため穴中に終端がくるように上記供給車中に形成される少なくとも１本の細通孔を含む、請求項７に記載の視覚的検査機。
【請求項１３】
電子部品が乗る周縁に終端するように運搬車中に形成された少なくとも２本の細通孔を含む、請求項６に記載の視覚的検査機。
【請求項１４】
電子部品が乗る周縁に終端するように運搬車中に形成された少なくとも２本の細通孔を含む、請求項７に記載の視覚的検査機。
【請求項１５】
上記運搬車の周縁が電子部品の高さより薄くされ電子部品が上記外縁に当接して両側の側面が露出するように上面より下に下面より上になるように保持されて上面、下面、前面が上記第２の検査機の視覚的検査を同時に受けられるようにされている、請求項１に記載の視覚的検査機。
【請求項１６】  
ａ）上記供給車の穴中の外縁に電子部品を当接して保持することを補助する供給車の外縁に隣接する１壁面と
ｂ）該１壁面に開けた窓であって、電子部品が上記外縁上を回転通過するとき電子部品の最も外側の面を第１の検査機が見えるようにしたものと、
を含むことを特徴とする請求項１に記載の視覚的検査機。
【請求項１７】
上記供給車に乗って移動する間電子部品の第１の面を見る供給車の近傍に配置される第１の検査機がチャージドカップルデバイスカメラである、請求項１に記載の視覚的検査機。
【請求項１８】
上記供給車に乗って移動する間電子部品の第２から第６の面を見る供給車の近傍に配置される第２の検査機がチャージドカップルデバイスカメラである、請求項１に記載の視覚的検査機。
【請求項１９】
上記第２の検査機は、上記電子部品の５つの面を５つより少ない装置によって見ることができる視野に集めるように上記電子部品の他の１面を見るとき同じ経路に沿って上記電子部品の１つの面に焦点合わせをするための鏡を含む、請求項１に記載の視覚的検査機。
【請求項２０】  
ａ）上記供給車と上記運搬車間の近地点近傍の上流に配置されるガイドと、
ｂ）該ガイドに形成される、上記供給車の曲線の半径と同じ曲線半径の曲壁であって、供給車近傍に配置されるものと、
ｃ）上記供給車の回転方向に上方にカーブする上記曲壁中に設けられ、上記穴の外側に出っ張る電子部品にさわると電子部品を上方に押し上げ同時に上記供給車の外縁から離すように構成された傾斜路とを有する、請求項１に記載の視覚的検査機。
【請求項２１】
上記運搬車の周縁から拒絶された電子部品を送り出して１箇所に捕獲させる第１の送出装置が、
ａ）上記運搬車の周縁の一部の上側及び下側に隣接して取り付けられる管と、
ｂ）落第つまり拒絶された電子部品の入口となる上記運搬車の周縁下の上記管中に設けられる少なくとも１個の排出口と、
ｃ）上記供給車の外縁より上方で上記排出口の反対側に設置される少なくとも１個のエアノズルに圧縮空気を制御弁経由で送る第１の圧縮空気吹出管であって、上記コンピュータに接続され、上記制御弁を開き落第した電子部品を瞬間的に圧縮空気を一吹きして上記外縁から電子部品を外し収集容器に接続された口中へと落し込むものとを有する、請求項１に記載の視覚的検査機。
【請求項２２】
上記排出口から導かれ電子部品を収集容器へと運び入れる少なくとも１本のチューブを含む、請求項２１に記載の視覚的検査機。
【請求項２３】
上記運搬車の周縁から合格した電子部品を送り出して１箇所に捕獲させる第２の送出装置が、
ａ）上記運搬車の周縁の一部の上側及び下側に隣接して取り付けられる管と、
ｂ）合格した電子部品の入口となる上記運搬車の周縁の上方の上記管中に設けられる少なくとも１個の排出口と、
ｃ）上記供給車の外縁より下方で上記排出口の反対側に設置される少なくとも１個のエアノズルに圧縮空気を制御弁経由で送る第２の圧縮空気吹出管であって、上記コンピュータに接続され、上記制御弁を開き合格した電子部品を瞬間的に圧縮空気を一吹きして上記外縁から電子部品を外し収集容器に接続された口中へと吹き上げるものとを有する、請求項１に記載の視覚的検査機。
【請求項２４】
上記排出口から導かれ電子部品を収集容器へと運び入れる少なくとも１本のチューブを含む、請求項２３に記載の視覚的検査機。
【請求項２５】
視覚的検査機から電子部品を収集する容器が、電子部品を運搬車に移動させるとき電子部品の運動エネルギを分散させる方向にベクトルを供給する傾斜した床にされている、請求項２３に記載の視覚的検査機。
【請求項２６】
側壁と床で囲まれてなる容器であって、床が中央で盛り上げられ電子部品が運搬車から落されるとき電子部品の運動エネルギを分散させる方向にベクトルを供給するように傾斜させてある、請求項２５に記載の視覚的検査機。
【請求項２７】
上記第２の検査機は、上記電子部品の全ての他の面を見る、請求項１〜２６のいずれか１項に記載の視覚的検査機。
【請求項２８】
上記第２の検査機は、上記電子部品の少なくとも上面又は下面を見る、請求項２７に記載の視覚的検査機。
【請求項２９】
上記電子部品は受動部品を含む、請求項２６に記載の視覚的検査機。
【請求項３０】
ａ）供給するための個々の電子部品の山を乗せる上面と多数の穴を穿設した外縁とを持つ供給車であって、該穴は該電子部品の山から１個の電子部品を所望の一定向きで受け取れるように統一された大きさ及び形状に間隔をあけた一対の側壁と後壁で構成され、その穴の中へ電子部品を導き落とすようにしてあるものと、
ｂ）該穴中にある各電子部品を第１の検査に当たらせるため各穴内に電子部品を保持するため真空吸引力を出す、上記運搬車に接続されている第１の真空吸引装置と、
ｃ）該供給車の外側に設置され、該供給車の上記穴中に位置する電子部品の少なくとも第１の面を見る第１の検査機と、
ｄ）上記供給車と並列に連動された周縁のある運搬車であって、供給車の上記穴から電子部品を受け取り運搬車の周縁に電子部品を保持して後の動きに備えるものと、
ｅ）上記運搬車の近傍に設置され、運搬車に乗って移動する電子部品の上記以外の各面を見る第２の視覚的検査機と、
ｆ）上記第１視覚的検査機及び／又は第２視覚的検査機の検査を看過して通過してしまった、及び／又は、上記第１視覚的検査機及び／又は第２視覚的検査機の検査を失敗した電子部品の所在を追跡するコンピュータプロセッサと、
ｇ）上記運搬車の周縁に捕獲され損なって視覚的検査を受けていない電子部品を一定の容器に吹き出す第１の送出装置と、
ｈ）上記運搬車の周縁に捕獲されて視覚的検査に合格した電子部品を別の容器に吹き出す第２の送出装置と
を有する受動部品の視覚的検査機。
【請求項３１】
上記供給車の外縁と上記運搬車の周縁とが連動して並列の近地点にきたとき上記第２検査機による検査のため上記運搬車の周縁上にその後に各電子部品を保持する、上記供給車の外縁の穴から電子部品を捕獲して上記運搬車の周縁上へと電子部品を移動させる真空吸引力を供給するため上記運搬車に接続された第２の真空装置を含む、請求項３０に記載の視覚的検査機。
【請求項３２】
上記供給車が中心軸周りに回転するように設定され、電子部品の山が乗る上記上面が少なくとも一カ所で上記中心軸から下方から上記穴まで傾斜させられている、請求項３０に記載の視覚的検査機。
【請求項３３】
電子部品を上記電子部品の山から上記穴に所望の向きで入れ込ませる補助をするように上記供給車回転方向に最も近い位置で上記穴の１側壁に形成した面取り角部を有する、請求項２７に記載の視覚的検査機。
【請求項３４】
上記供給車と上記運搬車とが同一平面上に並べられている、請求項３０に記載の視覚的検査機。
【請求項３５】
上記供給車と上記運搬車とが水平面に対して同一角度に傾斜させられている、請求項３４に記載の視覚的検査機。
【請求項３６】
上記角度が４５度である、請求項３２に記載の視覚的検査機。
【請求項３７】
上記供給車が次の層で構成され、すなわち、
ａ）上記穴が形成される外縁を終端とする上面で限定される上側の車と、
ｂ）上記上側の車の外縁上であって上記穴中にある電子部品が上記下側の車の外縁近傍の下側の車でほんの一部分だけサポートされて上記下側の外縁から外に張り出すように、上記上側の車の外縁から一周小さくされた外縁の下側の車であって上記穴の床の一部をなすものと、を有し、
ｃ）上記第１の真空装置が上記穴の後壁と上記面取りされた側壁でない方の側壁間に形成される角部の下方に向けられている、請求項３０に記載の視覚的検査機。
【請求項３８】
上記第２の検査機は、上記電子部品のすべての他の面を見る、請求項３０〜３７のいずれか１項に記載の視覚的検査機。
【請求項３９】
上記第２の検査機は、上記電子部品の少なくとも上面又は下面を見る、請求項３８に記載の視覚的検査機。
【請求項４０】
上記電子部品は受動部品を含む、請求項３０〜３７に記載の視覚的検査機。
【請求項４１】
a）視覚的検査を受ける少なくとも１個の電子部品を乗せる外縁で囲まれた回転する供給車に少なくとも１個の電子部品を乗せること、
ｂ）上記供給車の外側に設置され、該供給車に乗って移動する電子部品の少なくとも第１面を第１の検査機で見ること、
ｃ）上記運搬車の近傍に設置され、上記供給車と並列に連動された周縁のある運搬車であって、供給車の外縁から運搬車の周縁へと電子部品を移し替えること、
ｄ）上記運搬車の近傍に設置され、運搬車に乗って移動する電子部品の少なくも１つの外側面を第２の視覚的検査機で見ること、
e) 上記第１視覚的検査機及び／又は第２視覚的検査機の検査を看過して通過してしまった電子部品の所在、及び／又は、上記第１視覚的検査機及び／又は第２視覚的検査機により検査を失敗した電子部品の所在を追跡すること、
ｆ）第１の位置で上記運搬車の周縁に捕獲され損なって視覚的検査を受けていない電子部品を一定の容器に吹き出すこと、
ｇ）上記第１の位置とは異なる第２の位置で上記運搬車の周縁に捕獲されて視覚的検査に合格した電子部品を別の容器に吹き出すこと
を含む電子部品の視覚的検査方法。
【請求項４２】
請求項１〜２６のいずれか１項に記載の視覚的検査機を用いて電子部品を視覚的に検査する方法であって、
a）視覚的検査を受ける少なくとも１個の電子部品を乗せる外縁で囲まれた回転する供給車に少なくとも１個の電子部品を乗せること、
ｂ）上記供給車の外側に設置され、該供給車に乗って移動する電子部品の少なくとも第１面を第１の検査機で見ること、
ｃ）上記運搬車の近傍に設置され、上記供給車と並列に連動された周縁のある運搬車であって、供給車の外縁から運搬車の周縁へと電子部品を移し替えること、
ｄ）上記運搬車の近傍に設置され、運搬車に乗って移動する電子部品の少なくも１つの外側面を第２の視覚的検査機で見ること、
e) 上記第１視覚的検査機及び／又は第２視覚的検査機の検査を看過して通過してしまった電子部品の所在、及び／又は、上記第１視覚的検査機及び／又は第２視覚的検査機により検査を失敗した電子部品の所在を追跡すること、
ｆ）第１の位置で上記運搬車の周縁に捕獲され損なって視覚的検査を受けていない電子部品を一定の容器に吹き出すこと、
ｇ）上記第１の位置とは異なる第２の位置で上記運搬車の周縁に捕獲されて視覚的検査に合格した電子部品を別の容器に吹き出すこと
を含む電子部品の視覚的検査方法。
【請求項４３】
上記第２の検査機は、上記電子部品のすべての他の面を見る、請求項４２に記載の視覚的検査機。
【請求項４４】
上記第２の検査機は、上記電子部品の少なくとも上面又は下面を見る、請求項４２に記載の視覚的検査機。